(57)【要約】【課題】簡単な布設作業で光ケーブルを布設することができる光ケーブルの布設方法とそのための配管接続部材を提供することを目的とする。【解決手段】複数本の光ケーブル１が挿通される幹線配管３と光ケーブル１を分岐して挿通させる分岐配管４とを配管接続部材５で連通させた配管路２に光ケーブル１を布設する光ケーブル布設方法で、配管接続部材５に、分岐配管４側から挿入された光ケーブル１を幹線配管３の一方側へ導くガイド管路を有した配管接続部材５を用いるとともに、ガイド管路が光ケーブル１を光ケーブル配線の基幹であるＭＤＦへ導くように配置し、光ケーブル１を分岐配管４側から挿入して、幹線配管３の基幹側に向けて布設する。【選択図】図１
2012083576.tif 000002
【特許請求の範囲】
【請求項１】
複数本の光ケーブルが挿通される幹線配管と光ケーブルを分岐して挿通させる分岐配管とを配管接続部材で連通させた配管路に光ケーブルを布設する光ケーブル布設方法であって、
前記配管接続部材に、前記分岐配管側から挿入された光ケーブルを前記幹線配管の一方側へ導くガイド管路を有した配管接続部材を用いるとともに、前記ガイド管路が前記光ケーブルを光ケーブル配線の基幹側へ導くように配置し、
光ケーブルを前記分岐配管側から挿入して、前記幹線配管の基幹側に向けて布設することを特徴とする光ケーブル布設方法。
【請求項２】
前記配管接続部材は、前記配管路の長手方向に沿って複数箇所に配設されていることを特徴とする請求項１に記載の光ケーブル布設方法。
【請求項３】
請求項１又は２に記載の光ケーブル布設方法に用いる配管路の配管接続部材であって、
前記分岐配管を連結する分岐配管連結部を備え、前記分岐配管から挿入された光ケーブルを前記幹線配管の一方側へ導くガイド管路が形成されていることを特徴とする配管接続部材。
【請求項４】
前記配管接続部材は、前記幹線配管を連結する幹線配管連結部を有し、該幹線配管連結部は、前記幹線配管に連通される幹線配管連結管路を有し、該幹線配管連結管路は、前記ガイド管路に連通されていることを特徴とする請求項３に記載の配管接続部材。
【請求項５】
前記配管接続部材は、前記分岐配管連結部が複数形成されていることを特徴とする請求項４に記載の配管接続部材。
【請求項６】
前記配管接続部材は、前記幹線配管及び前記分岐配管を着脱可能に保持する保持部材を有していることを特徴とする請求項３〜５のいずれか１項に記載の配管接続部材。
【発明の詳細な説明】
【技術分野】
【０００１】
本発明は、建物の内部に光ケーブルを布設する光ケーブル布設方法、及び、この光ケーブル布設方法に用いられる配管路の配管接続部材に関する。
【背景技術】
【０００２】
近年のＦＴＴＨ（Ｆｉｂｅｒ  Ｔｏ  Ｔｈｅ  Ｈｏｍｅ）の本格的な導入に伴い、光ケーブルの配線が要求されるケースが増えている。従来、オフィスビルのような建物内に光ケーブルを布設する場合は、例えば、電話線などが挿通された既設の建物配管を利用して、光ケーブルをビル内の各オフィスや集合住宅の各戸に布設する方法が一般的である。
【０００３】
例えば、特許文献１には、図５に示すように、建物内の配管（排水管等）の内部に配設された複数の光ケーブルを分岐させて建物内に分岐して布設する方法が開示させている。
特許文献１に係る布設方法では、内部に複数の光ケーブル１０１が配設された配管１０２の外周面に円形状の開口部１０２ａを開け、複数の光ケーブル１０１のうちから１本の光ケーブル１０１ａを所定の長さ引き出して切断し、ケーブル分岐用管継手１０３が取り付けられた引き出し部材１０４の貫通部１０２ａに通して結束バンド１０５で固定し、そのケーブル分岐用管継手１０３が取り付けられた引き出し部材１０４を開口部１０２ａに取り付けている。貫通部１０２ａを通された光ケーブル１０１は、その後、建物内に分岐して布設される。
【先行技術文献】
【特許文献】
【０００４】
【特許文献１】特開２００４−８８９９１号公報
【発明の概要】
【発明が解決しようとする課題】
【０００５】
しかしながら、特許文献１の布設方法では、配管１０２の側面に光ケーブル１０１を通すための開口部１０２ａを開ける作業が必要であり、また複数配設された光ケーブル１０１から光ケーブル１０１ａを分岐させるため、光ケーブル１０１ａを切断する作業が必要であった。さらに、光ケーブル１０１を通すための開口部１０２ａを塞ぐ作業が必要であり、作業が煩雑であった。
本発明は、上述した実状に鑑みてなされたもので、簡単な布設作業で光ケーブルを布設することができる光ケーブルの布設方法とそのための配管接続部材を提供することを目的とする。
【課題を解決するための手段】
【０００６】
本発明による光ケーブル布設方法は、複数本の光ケーブルが挿通される幹線配管と光ケーブルを分岐して挿通させる分岐配管とを配管接続部材で連通させた配管路に光ケーブルを布設する光ケーブル布設方法で、配管接続部材に、分岐配管側から挿入された光ケーブルを幹線配管の一方側へ導くガイド管路を有した配管接続部材を用いるとともに、ガイド管路が光ケーブルを光ケーブル配線の基幹側へ導くように配置し、光ケーブルを分岐配管側から挿入して、幹線配管の基幹側に向けて布設することを特徴とする。なお、配管接続部材は、配管路の長手方向に沿って複数箇所に配設されていることが好ましい。
【０００７】
上記の光ケーブル布設方法に用いる配管路の配管接続部材で、分岐配管を連結する分岐配管連結部を備え、分岐配管から挿入された光ケーブルを幹線配管の一方側へ導くガイド管路が形成されていることを特徴とする。なお、配管接続部材は、幹線配管を連結する幹線配管連結部を有し、幹線配管連結部は、幹線配管に連通される幹線配管連結管路を有し、該幹線配管連結管路は、ガイド管路に連通されていることが好ましい。
また、配管接続部材は、分岐配管連結部を複数形成することができる。また、配管接続部材は、幹線配管及び分岐配管を着脱可能に保持する保持部材を有していることが好ましい。
【発明の効果】
【０００８】
本発明に係る光ケーブル布設方法によれば、光ケーブルを分岐配管から挿入し、光ケーブル配線の基幹側から取り出すことができる。すなわち、本発明に係る光ケーブル布設方法は、配管路に開口部を開ける作業や光ケーブルを引き出して切断する作業等を要することなく、分岐配管側と幹線配管の基幹側との間に光ケーブルを布設させることができる。
【図面の簡単な説明】
【０００９】
【図１】本発明による光ケーブルが配管路に布設される様子を示す図である。
【図２】本発明による配管固定部材の一例を示す図である。
【図３】本発明による配管接続部材の他の例を示す図である。
【図４】本発明による配管接続部材のその他の例を示す図である。
【図５】従来技術に係る光ケーブルの布設方法を示す図である。
【発明を実施するための形態】
【００１０】
図１及び図２を参照して、本発明の光ケーブル布設方法を説明する。図１は、本発明の光ケーブル付設方法を用いて、光ケーブルを配管路に布設する様子を示す図である。図２は、そのための配管固定部材の一例を示す図である。光ケーブル１の配管路２は、幹線配管３と分岐配管４と配管接続部材５とで構成される。
【００１１】
本発明の光ケーブル布設方法で使用される光ケーブル１は、一般的な光ファイバ心線の両側にテンションメンバを平行に配し、外被で一体に被覆した一般的な光ケーブルのうち、高剛性、且つ、低摩擦のインドアケーブルと称されているものが用いられる。
光ケーブル１は、テンションメンバが、例えば、外径が０．４ｍｍ〜０．５ｍｍの単心鋼線が用いられている。テンションメンバの外径が０．４ｍｍ未満では、折れ曲がり易く通線性が十分でなく、また、０．５ｍｍを超えるとはね性が強く、ドラム８への束巻きが難しくなり収納性が悪くなる。
【００１２】
光ケーブル１は、外被が、例えば、高密度ポリエチレン（ＨＤＰＥ）樹脂で形成される。外被は、高密度ポリエチレン（ＨＤＰＥ）樹脂を用いることにより、低密度ポリエチレン（ＬＤＰＥ）、直鎖状低密度ポリエチレン（Ｌ−ＬＤＰＥ）や中密度ポリエチレン（ＭＤＰＥ）と、比較して、外被の密度が高く、外被を硬く形成することができる。その結果、光ケーブル１を高剛性とすることができる。
【００１３】
また、外被を形成する高密度ポリエチレン（ＨＤＰＥ）樹脂には、必要に応じて、例えば、分子量が３００以上のシリコン系滑剤を添加させて外被表面の摩擦係数を０．２以下となるようにしている。
以上により、構成された光ケーブル１は、高剛性、且つ、低摩擦の光ケーブル１であり、管路内での通線性が高い光ケーブル１である。
【００１４】
幹線配管３は、複数の光ケーブル１が挿通される管路を有した筒状の配管であり、例えば、外径が２２ｍｍ〜３０ｍｍのＰＦ管、ＣＤ管などの合成樹脂製の可撓管である。
分岐配管４は、分岐される光ケーブル１が挿通される管路を有した筒状の配管であり、一端側の開口が配管接続部材５によって幹線配管３に連通される。この分岐配管４は、例えば、外径が１４ｍｍのＰＦ管、ＣＤ管などの合成樹脂製の可撓管である。
【００１５】
配管接続部材５は、２つの幹線配管３を互いに連通させて連結固定するとともに、幹線配管３と分岐配管４とを連通させて連結固定する。配管接続部材５は、幹線配管連結部５ａと分岐配管連結部５ｂとを有している。幹線配管連結部５ａは、筒状で幹線配管３の管路と略同径の幹線配管連結管路１０を有し、その幹線配管連結管路１０の両端に幹線配管３がそれぞれ接続される開口を有している。そして、その開口には、幹線配管３を着脱可能に保持する幹線配管保持部材１１が配されている。幹線配管保持部材１１は、幹線配管３の管路が幹線配管連結部５ａの幹線配管連結管路１０と同軸となるように保持する。
【００１６】
分岐配管連結部５ｂは、筒状で分岐配管４の管路と略同径のガイド管路１２を有している。そして、分岐配管連結部５ｂのガイド管路１２は、幹線配管連結管路１０と連通しており、ガイド管路の軸線１２ａの一端側が幹線配管連結管路１０の軸線１０ａに対して所定の角度、例えば、３０度の角度で斜めに交わる。そして、分岐配管連結部５ｂのガイド管路１２は、その軸線方向の他端に分岐配管４が接続される開口を有している。そして、その開口には、分岐配管４を着脱可能に保持する分岐配管保持部材１３が配されている。分岐配管保持部材１３は、分岐配管４の管路が分岐配管連結部５ｂのガイド管路１２と同軸となるように保持する。
【００１７】
以上のように構成された配管接続部材５は、分岐配管連結部５ｂに連結固定された分岐配管４から光ケーブル１が挿入されると、必ず図中の矢印の方向に進むようになっている。すなわち、配管接続部材５は、分岐配管連結部５ｂのガイド管路１２を通った光ケーブル１の進行方向を一義的に決定する。
【００１８】
以上に説明した、幹線配管３と分岐配管４と配管接続部材５とで配管路２を組み、本発明の光ケーブル布設方法で光ケーブル１を布設する様子を説明する。配管路２は、例えば、オフィスのフリーアクセスフロアの床下に組まれる。
図１に示すように、幹線配管３は、光ケーブル１の配線の基幹となるＭＤＦ（主配線盤）から、配設される。ＭＤＦは、例えば、データセンター等に設置されている。そして、幹線配管３は、配管接続部材５の幹線配管連結部５ａにより長手方向に複数連結される。このとき、配管接続部材５は、分岐配管連結部５ｂに連結された分岐配管４から光ケーブル１が挿入されると、ガイド管路１２が光ケーブル１を配線の基幹となるＭＤＦ側に導くように接続される。
【００１９】
そして、配管接続部材５の分岐配管連結部５ｂには、分岐配管４の一端側が連結される。分岐配管４の他端側は、分岐が予想される箇所まで予め這わせ、フリーアクセスフロアの床から開口が現れるように配設される。
【００２０】
図１では、例えば、サーバー機などの端末１が既にＭＤＦに接続されている。以上のように配設された光ケーブル１の配管路２は、ドラム８から繰り出された光ケーブル１が分岐配管４から挿入されて押し込まれる。光ケーブル１は、配管接続部材５のガイド管路１２により幹線配管３のＭＤＦが設置される側へガイドされて、光ケーブル１をＭＤＦ近傍まで押し込んで引き出すことができる。この結果、端末２とＭＤＦとの間を光ケーブル１で直接接続することができる。そして、端末２とＭＤＦとを光ケーブル１で接続することができる。
【００２１】
以上による本発明の光ケーブル布設方法によれば、一度、配管路２を組んでしまえば、配管の管路を開ける作業を省くことができるとともに、光ケーブル１を取り出して切断して繋いだり、開口を塞ぐ作業を省くことができる。
【００２２】
図３及び図４は、配管接続部材５の変形例を示すものである。図３（Ａ）は、配管接続部材５の第１変形例を示す図であり、図３（Ｂ）は、配管接続部材５の第２変形例を示す図である。図４は、配管接続部材５の第３変形例を示す図である。なお、変形例の配管接続部材５は、その基本的構成が上記配管接続部材５と同様であるため、上記配管接続部材５と同様の構成には、同一符号を付し、上記実施形態の説明と重複することになる説明を省略する。
【００２３】
図３（Ａ）に示す第１変形例に係る配管接続部材５は、分岐配管連結部５ｂが複数形成され、各分岐配管連結部５ｂのガイド管路１２が幹線配管連結部５ａの幹線配管連結管路１０に斜めに連通される。
また、第１変形例に係る配管接続部材５は、分岐配管４が分岐配管連結部５ｂのガイド管路１２に直接挿入されて接着固定される。そして、幹線配管連結部５ａの開口部分は、幹線配管３の厚み分、幹線配管連結管路１０の内径が太径となっており、その部分に幹線配管３が接続されて接着固定されるようになっている。
第１変形例に係る配管接続部材５によれば、１つの配管接続部材５で複数の分岐配管４を分岐させることができる。
【００２４】
図３（Ｂ）に示す第２変形例に係る配管接続部材５は、分岐配管連結部５ｂが幹線配管連結部５ａに対して略垂直に接続されており、全体形状として略Ｔ字形状となっている。しかし、分岐配管連結部５ｂ内のガイド管路１２は、湾曲しており、ガイド管路１２を通った光ケーブル１を幹線配管連結部５ａの幹線配管連結管路１０に対して斜めに進入するようにガイドする。第２変形例に係る配管接続部材５によれば、分岐配管４を幹線配管３に対して垂直に接続することができる。
【００２５】
図４に示す第３変形例に係る配管接続部材５は、幹線配管連結部５ａが円筒形状を軸線に沿って切断した形状となっている。第３変形例に係る配管接続部材５は、幹線配管３の外周に分岐配管連結部５ｂの管路より大きな円形状の開口部を形成し、幹線配管連結部５ａの内周面を幹線配管３の外周に接着又は螺子等により固定することにより、分岐配管接続部のガイド管路１２を幹線配管３の管路に連通させている。同様にして、第３変形例に係る配管接続部材５は、１本の幹線配管３の長手方向に沿って、複数の分岐配管４が接続される。
【００２６】
なお、本発明の光ケーブル１の布設方法を例えば、オフィスのフリーアクセスフロアの床下に配設する方法で説明したがこれに限定されるものではない。例えば、集合住宅の縦系、すなわち、各階に配置されたＩＤＦからＭＤＦに光ケーブル１を布設する際に本発明の光ケーブル布設方法を用いても良い。
【００２７】
また、なお、幹線配管３と分岐配管４とを接着固定する構成のものを幹線配管保持部材１１、分岐配管保持部材１３によって着脱可能に保持させても良いし、幹線配管３と分岐配管４とを幹線配管保持部材１１、分岐配管保持部材１３によって着脱可能に保持させる構成のものを接着固定する構成のものとしても良い。
【符号の説明】
【００２８】
１…光ケーブル、２…配管路、３…幹線配管、４…分岐配管、５…配管接続部材、５ａ…幹線配管連結部、５ｂ…分岐配管連結部、８…ドラム、１０…幹線配管連結管路、１０ａ…幹線配管連結管路の軸線、１１…幹線配管保持部材、１２…ガイド管路、１２ａ…ガイド管路の軸線、１３…分岐配管保持部材、１０１…光ケーブル、１０２…排水管、１０２…開口部、１０３…ケーブル分岐用管継手、１０４…引き出し部材、１０５…結束バンド。
【図１】
2012083576.tif 000003
【図２】
2012083576.tif 000004
【図３】
2012083576.tif 000005
【図４】
2012083576.tif 000006
【図５】
2012083576.tif 000007